(57)【要約】【課題】  固定具の紛失を防止できる電子機器を提供する。【解決手段】  電子機器は、開口部１４と、第１の貫通孔２８と、第１の貫通孔２８の周囲を規定する第１の縁部３２と、を有する第１のケース１５と、第２の貫通孔３４と、第２の貫通孔３４の周囲を規定する第２の縁部３５と、を有するとともに第１のケース１５に対向した第２のケース１６と、開口部１４を覆うように設けられたカバーと、第１の貫通孔２８に通されるとともにカバーを第１のケース１５に固定する軸部２５Ａと、軸部２５Ａから軸部２５Ａの半径方向に突出するとともに、第１の縁部３２と第２の縁部３５との間で挟まれて保持される保持部２５Ｃと、を有するねじ２５と、を具備する。第１の縁部３２および第２の縁部３５は、保持部２５Ｃの直径よりも小さい直径をそれぞれ有する。【選択図】図４
2011023826.tif 000002
【特許請求の範囲】
【請求項１】
開口部と、第１の貫通孔と、前記第１の貫通孔の周囲を規定する第１の縁部と、を有する第１のケースと、
第２の貫通孔と、前記第２の貫通孔の周囲を規定する第２の縁部と、を有するとともに前記第１のケースに対向した第２のケースと、
前記開口部を覆うように設けられたカバーと、
前記第１の貫通孔に通されるとともに前記カバーを前記第１のケースに固定する軸部と、前記軸部から前記軸部の半径方向に突出するとともに、前記第１の縁部と前記第２の縁部との間で挟まれて保持される保持部と、を有する固定具と、
を具備し、
前記第１の縁部および前記第２の縁部は、前記保持部の直径よりも小さい直径をそれぞれ有することを特徴とする電子機器。
【請求項２】
前記第２のケースに向けて突出するように前記第１のケースに設けられるとともに、その頂部に前記第１の縁部を設けた第１のボス部をさらに具備し、
前記第１のボス部の高さ寸法は、前記軸部の長さ寸法よりも大きいことを特徴とする請求項１に記載の電子機器。
【請求項３】
前記カバーと交差する方向に延びるとともに、前記第１の貫通孔に通されるピンを具備し、
前記固定具は、前記ピンに固定されることを特徴とする請求項２に記載の電子機器。
【請求項４】
前記開口部に連続するように設けられる電池収容部を具備し、
前記カバーは、前記電池収容部を覆うことを特徴とする請求項２に記載の電子機器。
【請求項５】
スロットと、第１の貫通孔と、前記第１の貫通孔の周囲を規定する第１の縁部と、を有する第１のケースと、
第２の貫通孔と、前記第２の貫通孔の周囲を規定する第２の縁部と、を有する第２のケースと、
前記スロット内に取り付けたり、前記スロット内から取り出したりできるモジュールと、
前記第１の貫通孔に通されるとともに前記モジュールを前記スロット内に固定したり、前記モジュールを前記スロット内から押し出したりする軸部と、前記軸部から前記軸部の半径方向に突出するとともに、前記第１の縁部と前記第２の縁部との間で挟まれて保持される保持部と、を有する固定具と、
を具備し、
前記第１の縁部および前記第２の縁部は、前記保持部の直径よりも小さい直径をそれぞれ有することを特徴とする電子機器。
【請求項６】
前記軸部の一部は、前記スロット内に突出することを特徴とする請求項５に記載の電子機器。
【請求項７】
フレームと、
前記フレームに取り付けられた表示パネルと、
第１の貫通孔と、前記第１の貫通孔の周囲を規定する第１の縁部と、を有するとともに前記フレームに固定されたケース本体と、
第２の貫通孔と、前記第２の貫通孔の周囲を規定する第２の縁部と、を有するとともに前記ケース本体に取り付けられた保持部材と、
前記フレームを起立状態で支持するスタンドと、
前記第１の貫通孔に通されるとともに前記スタンドを前記フレームに固定する軸部と、前記軸部から前記軸部の半径方向に突出するとともに、前記第１の縁部と前記第２の縁部との間で挟まれて保持される保持部と、を有する固定具と、
を具備し、
前記第１の縁部および前記第２の縁部は、前記保持部の直径よりも小さい直径をそれぞれ有することを特徴とする電子機器。
【請求項８】
前記軸部は、前記保持部に対して前記軸部の延びている方向に沿って進退できることを特徴とする請求項７に記載の電子機器。
【発明の詳細な説明】
【技術分野】
【０００１】
本発明は、固定用の固定具を備えた電子機器に関する。
【背景技術】
【０００２】
表示部を薄型化した表示装置が開示されている。この表示装置は、平面型表示パネルと、平面型表示パネルの前面側に設けられる光学フィルタ部材と、平面型表示パネルの背面側に設けられるフレームと、フレームの背面側に設けられる回路部品と、回路部品よりもさらに背面側に設けられるバックカバーと、を備えている。表示装置は、さらに、フレームに取り付けられる支持台を有している。
【０００３】
このフレームと支持台とは、ネジ等を用いて固定される（例えば、特許文献１参照）。光学フィルタ部材と、フレームとの間の固定を行う際も、ネジ等を用いることが多い。
【先行技術文献】
【特許文献】
【０００４】
【特許文献１】特開２００６−１０６６１８号公報
【発明の概要】
【発明が解決しようとする課題】
【０００５】
ところで、上記したように、固定部にネジを用いる場合には、例えば、取り外されたネジをユーザが誤って紛失してしまうと、フレームと支持台との間や、光学フィルタ部材と、フレームとの間で、再度の固定ができなくなる不具合を生ずることがある。
【０００６】
本発明の目的の一つは、固定具の紛失を防止することができる電子機器を提供することにある。
【課題を解決するための手段】
【０００７】
前記目的を達成するため、本発明の一つの形態に係る電子機器は、開口部と、第１の貫通孔と、前記第１の貫通孔の周囲を規定する第１の縁部と、を有する第１のケースと、第２の貫通孔と、前記第２の貫通孔の周囲を規定する第２の縁部と、を有するとともに前記第１のケースに対向した第２のケースと、前記開口部を覆うように設けられたカバーと、前記第１の貫通孔に通されるとともに前記カバーを前記第１のケースに固定する軸部と、前記軸部から前記軸部の半径方向に突出するとともに、前記第１の縁部と前記第２の縁部との間で挟まれて保持される保持部と、を有する固定具と、を具備し、前記第１の縁部および前記第２の縁部は、前記保持部の直径よりも小さい直径をそれぞれ有する。
【発明の効果】
【０００８】
上記の構成によれば、固定具の紛失を防止できる電子機器を提供することができる。
【図面の簡単な説明】
【０００９】
【図１】第１の実施形態に係る電子機器の一例である表示装置を示す斜視図。
【図２】図１に示す表示装置の縦方向に沿った断面図。
【図３】図１に示す表示装置の第１のケースおよび保護板を分解して示した斜視図。
【図４】図１に示す表示装置の保護板、取付金具、ねじ、第１のケース、および第２のケースの縦方向に沿った断面図。
【図５】図４に示す表示装置の保護板を第１のケースから取り外した状態を示した断面図。
【図６】第２の実施形態に係る電子機器の一例である表示装置を示す正面図。
【図７】図６に示すＦ７−Ｆ７線に沿った断面図。
【図８】第３の実施形態の電子機器の一例である遠隔操作装置を示した斜視図。
【図９】図８に示すＦ９−Ｆ９線に沿った断面図。
【図１０】第４の実施形態の電子機器の一例であるハードディスクドライブ装置を示した斜視図。
【図１１】図１０に示すハードディスクドライブ装置のスロット内に装着したりスロット内から取り外したりできるモジュールを示した斜視図。
【図１２】図１０に示すハードディスクドライブ装置の水平方向に沿った断面図。
【図１３】第５の実施形態に係る電子機器の一例である表示装置の縦方向に沿った断面図。
【発明を実施するための形態】
【００１０】
以下に、図１から図５を参照して、電子機器の一例として薄型テレビ等の表示装置に適用した実施形態について説明する。
【００１１】
図１から図３に示すように、表示装置１１は、フレーム１２と、フレーム１２の前面に取り付けられた表示パネル１３と、表示パネル１３の前面を覆うとともに開口部１４を有する第１のケース１５と、フレーム１２の背面を覆うように第１のケース１５に対向する第２のケース１６と、開口部１４を覆うように第１のケース１５に取り付けられる保護板１７と、フレーム１２を縦置き状態で支持するスタンド１８と、表示パネル１３を駆動するパネルコントローラ２１と、表示パネル１３等に電力を供給する電源ユニット２２と、を備えている。パネルコントローラ２１および電源ユニット２２は、フレーム１２の背面に固定されている。
【００１２】
保護板１７は、例えばアクリル系の樹脂によって、方形をなした透明の平板である。保護板１７は、外光の反射を防止するとともに、表示パネル１３を物理的な衝撃から保護している。表示パネル１３は、例えば、液晶パネルで構成されているが、これに限定されるものではない。表示パネル１３は、プラズマディスプレイパネル（Plasma Display Panel）、有機ＥＬディスプレイ（Organic Electro Luminescence Display）等の他のパネルであってもよい。保護板１７は、本発明のカバーに相当する。
【００１３】
図３と図４に示すように、表示装置１１は、さらに、第１のケース１５と第２のケース１６との間に介在される取付金具２３およびファスナ部材２４と、第１のケース１５と保護板１７とを固定する固定具の一例であるねじ２５と、を備えている。取付金具２３は、保護板１７に角部に対応して、４箇所に設けられている。取付金具２３は、「Ｌ」字形をなした固定部２３Ａと、「Ｌ」字形の固定部２３Ａの角部から突出した円筒形のピン２３Ｂと、を有している。取付金具２３の固定部２３Ａは、例えば、両面テープを介して保護板１７に接着されている。ピン２３Ｂは、その中央部に、ねじ２５が挿入されるねじ孔２６を有している。ピン２３Ｂは、保護板１７と交差する方向、すなわち保護板１７と直交する方向に延びている。
【００１４】
図３に示すように、ファスナ部材２４は、第１のケース１５に接着された第１の部分２４Ａと、保護板１７に接着された第２の部分２４Ｂと、を有している。ファスナ部材２４の第１の部分２４Ａと第２の部分２４Ｂは、互いに着脱自在であり、互いの面を押し付けると貼り付くようになっている。ファスナ部材２４は、例えばいわゆるマジックテープ（登録商標）（hook and loop fastener）で構成される。第１の部分２４Ａおよび第２の部分２４Ｂは、いずれもシート状をなしている。
【００１５】
図１と図２に示すように、開口部１４は、第１のケース１５の前面の略全域に設けられている。開口部１４は、表示パネル１３を外部に向けて露出させている。
【００１６】
図３と図４に示すように、第１のケース１５は、表示パネル１３の前面の周囲を取り囲む枠状に形成されている。第１のケース１５は、取付金具２３が入り込む凹所２７と、凹所２７に設けられるとともにピン２３Ｂが通される第１の貫通孔２８と、第１の貫通孔２８の周囲に設けられる円筒形の第１のボス部３１と、第１のボス部３１の頂部に設けられる第１の縁部３２と、を有している。第１のボス部３１は、凹所２７が設けられる面とは反対側の面で、第２のケース１６に向けて突出している。この第１のボス部３１の高さ寸法は、後述するねじ２５の軸部２５Ａの長さ寸法よりも大きくなっている。第１の縁部３２は、第１の貫通孔２８の周囲を規定している。
【００１７】
第２のケース１６は、第１のケース１５に向けて突出する第２のボス部３３と、第２のボス部３３の中央部で第２のケース１６を貫通するように設けられる第２の貫通孔３４と、第２のボス部３３の頂部に設けられる第２の縁部３５と、を有している。第２のボス部３３は、円筒形をなしている。第２の縁部３５は、第２の貫通孔３４の周囲を規定している。
【００１８】
ねじ２５は、例えば、保護板１７の各角部に対応するように、４箇所に設けられている。図４と図５に示すように、ねじ２５は、外周面に雄ねじが形成された円柱状の軸部２５Ａと、軸部２５Ａの一方の端部に設けられた頭部２５Ｂと、軸部２５Ａから軸部２５Ａの半径方向に突出した円盤状の保持部２５Ｃと、を有している。軸部２５Ａは、第１の貫通孔２８に通されており、保護板１７を第１のケース１５に固定することができる。保持部２５Ｃは、軸部２５Ａからフランジ状に突出している。保持部２５Ｃは、軸部２５Ａの前記一方の端部から突出しており、頭部２５Ｂと一体に形成されている。保持部２５Ｃは、第１の縁部３２と第２の縁部３５との間で挟まれて保持されている。この第１の縁部３２および第２の縁部３５の直径は、円盤状の保持部２５Ｃの直径よりも小さくなっている。
【００１９】
図４と図５を参照して、本実施形態の保護板１７の取付け作業について説明する。図５に示すように、まず、第１の縁部３２と第２の縁部３５との間の位置にねじ２５の保持部２５Ｃを挟みこむようにして、第１のケース１５と第２のケース１６とを予め固定する。そして、第１のケース１５の第１の貫通孔２８の内側に、取付金具２３のピン２３Ｂを挿入する。さらに、第２の貫通孔３４に差し込んだドライバー等を利用してねじ２５を例えば時計回り方向に回転させ、保護板１７を第１のケース１５に固定する。その際、凹所２７の内側に取付金具２３が嵌りこむ。
【００２０】
一方、図４に示す状態から保護板１７を第１のケース１５から取り外す場合には、第２の貫通孔３４に差し込んだドライバー等を利用してねじ２５を例えば反時計回り方向に回転させる。ねじ２５の回転によってピン２３Ｂおよび保護板１７が前方に押し出されて、保護板１７を第１のケース１５から取り外すことができる。
【００２１】
第１の実施形態によれば、電子機器は、開口部１４と、第１の貫通孔２８と、第１の貫通孔２８の周囲を規定する第１の縁部３２と、を有する第１のケース１５と、第２の貫通孔３４と、第２の貫通孔３４の周囲を規定する第２の縁部３５と、を有するとともに第１のケース１５に対向した第２のケース１６と、開口部１４を覆うように設けられたカバーと、第１の貫通孔２８に通されるとともにカバーを第１のケース１５に固定する軸部２５Ａと、軸部２５Ａから軸部２５Ａの半径方向に突出するとともに、第１の縁部３２と第２の縁部３５との間で挟まれて保持される保持部２５Ｃと、を有するねじ２５と、を具備し、第１の縁部３２および第２の縁部３５は、保持部２５Ｃの直径よりも小さい直径をそれぞれ有する。
【００２２】
この構成によれば、第１の縁部３２と第２の縁部３５との間に保持部２５Ｃが挟まれるようになっているため、第１のケース１５および第２のケース１６の間からねじ２５が脱落してしまうことを防止することができる。これによって、例えば、ユーザがカバーを取り外して開口部１４付近を掃除する際に、誤ってねじ２５を紛失してしまうことを防止することができる。また、上記構成によれば、第２の貫通孔３４にドライバー等を通してねじ２５を時計回り方向および反時計回り方向に回転させることができるため、ねじ２５の操作性を低下させることもない。
【００２３】
このとき、第２のケース１６に向けて突出するように第１のケース１５に設けられるとともに、その頂部に第１の縁部３２を設けた第１のボス部３１をさらに具備し、第１のボス部３１の高さ寸法は、軸部２５Ａの長さ寸法よりも大きい。この構成によれば、ねじ２５の軸部２５Ａが第１のケース１５の表面から突出してしまうことを防止できる。これによって、ユーザが誤って軸部２５Ａに指やケーブルなどを引っ掛けて、ねじ２５を保持している第１の縁部３２および第２の縁部３５を破損したり、ケーブルを切断したりする等の不具合を生ずることを防止できる。
【００２４】
続いて、図６、図７を参照して、電子機器の第２の実施形態について説明する。第２の実施形態の電子機器の一例である薄型テレビ等の表示装置１１は、第１のケース１５に対して着脱可能な化粧板４１が設けられる点、および開口部１４の大きさが異なる点で第１の実施形態のものと異なっているが、他の部分は第１の実施形態と共通している。このため、主として異なる部分について説明し、共通する部分については共通の符号を付して説明を省略する。
【００２５】
第２の実施形態の表示装置１１は、開口部１４に加えて、さらに、表示パネル１３を外部に露出するための第２の開口部４２を独立に有している。開口部１４は、第１のケース１５の下側の一部に横長のスリット状に設けられている。
【００２６】
化粧板４１は、合成樹脂材料によって開口部１４を覆うように設けられている。化粧板４１は、本発明のカバーに相当する。固定具の一例であるねじ２５は、化粧板４１の左右の両端部に対応する２箇所に設けられている。化粧板４１は、さらに、ねじ２５が固定されるねじ穴４１Ａを有している。
【００２７】
第１のケース１５は、ねじ２５が通される第１の貫通孔２８と、第１の貫通孔２８の周囲に設けられる第１のボス部３１と、第１の貫通孔２８の周囲を規定する第１の縁部３２と、を有している。第１のボス部３１は、第２のケース１６に向けて突出している。この第１のボス部３１の内側には、窪み部３１Ａが設けられている。この窪み部３１Ａの内側に化粧板４１の全体が入り込む。
【００２８】
第２のケース１６は、第１のケース１５に向けて突出する第２のボス部３３と、第２のボス部３３の中央部で第２のケース１６を貫通するように設けられる第２の貫通孔３４と、第２の貫通孔３４の周囲を規定する第２の縁部３５と、有している。第２のボス部３３は、円筒形をなしている。第１の縁部３２と第２の縁部３５との間にねじ２５の保持部２５Ｃが挟まれて保持されている。ねじ２５の円盤状の保持部２５Ｃの直径は、第１の縁部３２（第１の貫通孔２８）および第２の縁部３５（第２の貫通孔３４）の直径よりも大きくなっている。
【００２９】
図７を参照して、本実施形態の化粧板４１の取付け作業について説明する。まず、第１の縁部３２と第２の縁部３５との間の位置にねじ２５の保持部２５Ｃを挟みこむようにして、第１のケース１５と第２のケース１６とを予め固定する。そして、第１のボス部３１の窪み部３１Ａの内側に、化粧板４１を挿入する。さらに、第２の貫通孔３４に通されたドライバー等を利用してねじ２５を例えば時計回り方向に回転させ、化粧板４１を第１のケース１５に固定する。
【００３０】
一方、図７に示す状態から化粧板４１を第１のケース１５から取り外す場合には、第２の貫通孔３４に通されたドライバー等を利用してねじ２５を例えば反時計回り方向に回転させる。ねじ２５の回転によって化粧板４１が前方に押し出されて、化粧板４１を第１のケース１５から取り外すことができる。
【００３１】
第２の実施形態によれば、第１の縁部３２と第２の縁部３５との間に保持部２５Ｃが挟まれるようになっているため、第１のケース１５および第２のケース１６の間からねじ２５が脱落してしまうことを防止することができる。これによって、例えば、ユーザがカバーを取り外して開口部１４付近を掃除する際に、誤ってねじ２５を紛失してしまうことを防止することができる。また、本実施形態のように、化粧板４１を固定するねじ２５に対しても本発明の構造を適用することができる。
【００３２】
続いて、図８、図９を参照して、電子機器の第３の実施形態について説明する。第３の実施形態の電子機器の一例である薄型テレビ用の遠隔操作装置５１（リモコン）は、開口部１４の周りの構造が第１の実施形態のものと異なっているが、他の部分はその要旨において第１の実施形態と概ね共通している。このため、主として異なる部分について説明し、共通する部分については共通の符号を付して説明を省略する。
【００３３】
図８に示すように、遠隔操作装置５１は、開口部１４を有する第１のケース１５と、複数の操作ボタン５２が設けられた第２のケース１６と、開口部１４に連続して設けられる電池収容部５３と、開口部１４および電池収容部５３を覆うように第１のケース１５に取り付けられる蓋体５４と、第１のケース１５および第２のケース１６の内部に収容されるとともに複数の回路部品５５Ａを有するプリント回路板５５と、を備えている。言い換えると、第１のケース１５は、プリント回路板５５の一方の面を覆っており、第２のケース１６は、プリント回路板５５の他方の面を覆っている。電池収容部５３に電池５７が収容される。蓋体５４は、本発明のカバーに相当する。
【００３４】
第１のケース１５は、ねじ２５が通される第１の貫通孔２８と、第１の貫通孔２８の周囲に設けられる円筒形の第１のボス部３１と、第１の貫通孔２８の周囲を規定する第１の縁部３２と、を有している。第１のボス部３１は、第２のケース１６に向けて突出している。第１のボス部３１は、ねじ２５の軸部２５Ａの周囲を覆っている。
【００３５】
第２のケース１６は、第１のケース１５に向けて突出する第２のボス部３３と、第２のボス部３３の中央部で第２のケース１６を貫通するように設けられる第２の貫通孔３４と、第２の貫通孔３４の周囲を規定する第２の縁部３５と、を有している。第２のボス部３３は、円筒形をなしている。蓋体５４は、第１のケース１５に向けて突出した第３のボス部５６と、第３のボス部５６に設けられるとともに、ねじ２５が固定されるねじ穴５６Ａと、を有している。
【００３６】
ねじ２５は、例えば１箇所に設けられている。ねじ２５の円盤状の保持部２５Ｃの直径は、第１の縁部３２（第１の貫通孔２８）および第２の縁部３５（第２の貫通孔３４）の直径よりも大きくなっている。
【００３７】
図９を参照して、本実施形態の蓋体５４の取付け作業および取り外し作業について説明する。図９に示すように、まず、第１のボス部３１と第２のボス部３３との間の位置にねじ２５の保持部２５Ｃを挟みこむようにして、第１のケース１５と第２のケース１６とを予め固定する。そして、第１のケース１５の開口部１４に、蓋体５４を仮固定する。さらに、第２の貫通孔３４に通されたドライバー等を利用してねじ２５を例えば時計回り方向に回転させ、図８に示すように、蓋体５４を第１のケース１５に完全に固定する。
【００３８】
一方、図８に示す状態から蓋体を第１のケース１５から取り外す場合には、第２の貫通孔３４に通されたドライバー等を利用してねじ２５を例えば反時計回り方向に回転させる。ねじ２５の回転によって蓋体５４が第１のケース１５から離れる方向に押し出されて、蓋体５４を第１のケース１５から取り外すことができる。
【００３９】
第３の実施形態によれば、電子機器は、開口部１４に連続するように設けられる電池収容部５３を具備し、カバーは、電池収容部５３を覆う。この構成によれば、電池収容部５３を覆うカバーに対しても、ねじ２５の紛失を防止できる構造を採用することができる。
【００４０】
続いて、図１０から図１２を参照して、電子機器の第４の実施形態について説明する。第４の実施形態の電子機器の一例である外付けのハードディスクドライブ装置６１（ＨＤＤ）は、カバー（保護板１７）の代わりにモジュール６２を固定具の一例であるねじ２５で固定している点で第１の実施形態のものと異なっているが、他の部分は第１の実施形態と共通している。このため、主として異なる部分について説明し、共通する部分については共通の符号を付して説明を省略する。ハードディスクドライブ装置６１は、テレビ等の表示装置に接続されて、テレビ番組等の映像を録画したり、録画された映像を表示装置１１に対して出力したりすることができる。
【００４１】
ハードディスクドライブ装置６１は、スロット６３を有する第１のケース１５と、第１のケース１５に取り付けられた第２のケース１６と、スロット６３内に着脱可能に取り付けられるモジュール６２と、スロット６３内に設けられるとともにモジュール６２と接続するためのコネクタと、第１のケース１５および第２のケース１６を縦置き状態で保持するスタンド１８と、を備えている。さらに、ハードディスクドライブ装置６１は、テレビ等の表示装置１１に接続するためのケーブル６４を有している。
【００４２】
第１のケース１５は、内部にスロット６３を有した中空の箱状に形成されている。図１０に示すように、第１のケース１５は、第１の部分１５Ａと、第２の部分１５Ｂとを有するように縦方向に２分割されている。図１２に示すように、第１のケース１５は、ねじ２５の軸部２５Ａが通される第１の貫通孔２８と、第１の貫通孔２８の周囲を規定するとともに、ねじ２５の保持部２５Ｃが引っ掛けられる第１の縁部３２と、を有している。スロット６３の開口部は、第１のケース１５の前面の略全域に方形に設けられている。
【００４３】
第２のケース１６は、第１のケース１５に対して例えばねじ止め等によって固定されている。第２のケース１６は、第１のケース１５に向けて突出する第２のボス部３３と、第２のボス部３３の中央部で第２のケース１６を貫通するように設けられる第２の貫通孔３４と、第２の貫通孔３４の周囲を規定する第２の縁部３５と、を有している。第２のボス部３３は、円筒形をなしている。
【００４４】
モジュール６２は、ハードディスクドライブ装置６１のいわゆる本体部分である。モジュール６２は、スロット６３内に装着して使用したり、スロット６３内から取り外したりすることができる。モジュール６２は、その外殻をなした外装ケース６２Ａと、第１のケース１５に設けられたコネクタと接続される接続部６２Ｂと、ねじ２５が挿入されるねじ孔６２Ｃと、を有している。なお、モジュール６２は、ハードディスクドライブ装置だけに限られない。モジュール６２は、たとえば、ＳＳＤ（solid state drive）やフラッシュメモリドライブなど、他の記憶装置や、ＤＶＤやＣＤ等の光ディスクの駆動装置等であってもよい。
【００４５】
ねじ２５は、例えば、スロット６３の奥部の１箇所に設けられている。ねじ２５は、外周面に雄ねじが形成された円柱状の軸部２５Ａと、軸部２５Ａの一方の端部に設けられた頭部２５Ｂと、軸部２５Ａから軸部２５Ａの半径方向に突出した円盤状の保持部２５Ｃと、を有している。軸部２５Ａは、第１の貫通孔２８に通されており、その先端側の一部がスロット６３内に突出している。保持部２５Ｃは、第１の縁部３２と第２の縁部３５との間で挟まれて保持されている。第１の縁部３２（第１の貫通孔２８）および第２の縁部３５（第２の貫通孔３４）の直径は、円盤状の保持部２５Ｃの直径よりも小さくなっている。
【００４６】
図１０と図１２を参照して、本実施形態の保護板１７の取付け作業について説明する。図１２に示すように、まず、第１の縁部３２と第２の縁部３５との間の位置にねじ２５の保持部２５Ｃを挟みこむようにして、第１のケース１５と第２のケース１６とを予め固定する。そして、第１のケース１５のスロット６３の内側に、モジュール６２を挿入する。さらに、第２の貫通孔３４に通されたドライバー等を利用して、ねじ２５を例えば時計回り方向に回転させる。こうして、モジュール６２をスロット６３内に引き込んで第１のケース１５に固定する。
【００４７】
一方、図１２に示す状態からモジュール６２を第１のケース１５から取り外す場合には、第２の貫通孔３４に通されたドライバー等を利用して、ねじ２５を例えば反時計回り方向に回転させる。ねじ２５の回転によってモジュール６２が前方に押し出されて、モジュール６２は、スロット６３内から取り出される。
【００４８】
第４の実施形態によれば、電子機器は、スロット６３と、第１の貫通孔２８と、第１の貫通孔２８の周囲を規定する第１の縁部３２と、を有する第１のケース１５と、第２の貫通孔３４と、第２の貫通孔３４の周囲を規定する第２の縁部３５と、を有する第２のケース１６と、スロット６３内に取り付けたり、スロット６３内から取り出したりできるモジュール６２と、第１の貫通孔２８に通されるとともにモジュール６２をスロット６３内に固定したり、モジュール６２をスロット６３内から押し出したりする軸部２５Ａと、軸部２５Ａから軸部２５Ａの半径方向に突出するとともに、第１の縁部３２と第２の縁部３５との間で挟まれて保持される保持部２５Ｃと、を有するねじ２５と、を具備し、第１の縁部３２および第２の縁部３５は、保持部２５Ｃの直径よりも小さい直径をそれぞれ有する。
【００４９】
この構成によれば、第１の縁部３２と第２の縁部３５との間に保持部２５Ｃが挟まれるようになっているため、第１のケース１５および第２のケース１６の間からねじ２５が脱落して、ねじ２５を紛失してしまうことを防止できる。また、ねじ２５を利用してモジュール６２の抜き差しが可能であるため、モジュール６２に手を掛けるための手掛け部を設ける必要がないので、モジュール６２を小型化することができる。
【００５０】
また、軸部２５Ａの一部は、スロット６３内に突出している。この構成によれば、軸部２５Ａが外界に向けて突出することがなく、ユーザが誤って軸部２５Ａに指やケーブルを引っ掛けて、ねじ２５を保持している第１の縁部３２および第２の縁部３５を破損してしまう不具合を生ずることを防止できる。
【００５１】
続いて、図１３を参照して、電子機器の第５の実施形態について説明する。第５の実施形態の電子機器の一例である薄型テレビ等の表示装置１１は、カバー（保護板１７）の代わりにスタンド１８を固定具の一例であるねじ２５で固定している点で第１の実施形態のものと異なっているが、他の部分は第１の実施形態と共通している。このため、主として異なる部分について説明し、共通する部分については共通の符号を付して説明を省略する。第５の実施形態の表示装置１１は、図１に示す第１の実施形態のものと同様の外観を有する。
【００５２】
図１３に示すように、表示装置１１は、フレーム１２と、フレーム１２の前面に取り付けられた表示パネル１３と、表示パネル１３の前面を覆う第１のケース１５と、フレーム１２の背面を覆うケース本体７１と、フレーム１２に着脱可能に取り付けられるスタンド１８と、フレーム１２とスタンド１８とを固定するねじ２５と、ケース本体７１に取り付けられる保持部材７２と、を備えている。
【００５３】
スタンド１８は、フレーム１２を起立状態（縦置き状態）で支持することができる。スタンド１８は、金属材料によって断面「Ｔ」字状に形成されたスタンド本体１８Ａと、スタンド本体１８Ａに固定された例えば合成樹脂製の脚部１８Ｂと、を有している。スタンド本体１８Ａは、ねじ２５が挿入されるねじ孔２６を有している。フレーム１２は、さらに、ねじ２５が挿入される受け孔７６を有している。受け孔７６と後述する保持部２５Ｃで保持されるねじ２５の軸部２５Ａによって、スタンド本体１８Ａを安定的にフレーム１２に固定することができる。
【００５４】
ケース本体７１は、ねじ２５が通される第１の貫通孔２８と、第１の貫通孔２８の周囲を規定する第１の縁部３２と、を有している。第１の縁部３２は、第１のケース１５の周囲の箇所よりも一段低くなった段部として形成されている。この第１の縁部３２に対してねじ２５の保持部２５Ｃが引っ掛かるようになっている。
【００５５】
保持部材７２は、ケース本体７１に対してねじ２５とは独立した他のねじ等の固定手段によって着脱自在に取り付けられている。保持部材７２は、断面「Ｌ」字形をなしている。保持部材７２は、第２の貫通孔３４と、第２の貫通孔３４の周囲を規定する第２の縁部３５と、を有している。
【００５６】
ねじ２５は、例えば、スタンド１８の幅方向の両端部に対応した２箇所に設けられている。ねじ２５は、軸部２５Ａと、軸部２５Ａの一方の端部に設けられた頭部２５Ｂと、軸部２５Ａに対してスライド移動できるように軸部２５Ａに取り付けられた座金状の保持部２５Ｃと、を有している。軸部２５Ａは、外周面に雄ねじが形成された雄ねじ部７３と、平滑な周面を有する円柱状のスライド部７４と、を有している。この軸部２５Ａのスライド部７４は、次に述べる保持部２５Ｃの第３の貫通孔７５の内側に遊びを持って嵌め入れられている。このため、軸部２５Ａは、保持部２５Ｃに対して軸部２５Ａの延びている方向に沿って、スライド移動することができる。
【００５７】
保持部２５Ｃは、中央部にスライド部７４を通すための第３の貫通孔７５を有している。保持部２５Ｃは、軸部２５Ａの外側に遊びを持って保持されたリング状をなしている。保持部２５Ｃは、第１の縁部３２と第２の縁部３５との間で挟まれて保持されている。第１の縁部３２（第１の貫通孔２８）および第２の縁部３５（第２の貫通孔３４）の直径は、円盤状の保持部２５Ｃの直径よりも小さくなっている。
【００５８】
図１３を参照して、本実施形態のスタンド１８の取付けおよび取り外し作業について説明する。図１３に示すように、まず、第１の縁部３２と第２の縁部３５との間の位置にねじ２５の保持部２５Ｃを挟みこむようにして、ケース本体７１に保持部材７２を予め固定する。そして、第２の貫通孔３４に通されたドライバー等を利用してねじ２５を例えば時計回り方向に回転させ、スタンド１８をフレーム１２に固定する。
【００５９】
一方、図１３に示す状態からスタンド１８をフレーム１２から取り外す場合には、第２の貫通孔３４に通されたドライバー等を利用してねじ２５を例えば反時計回り方向に回転させる。軸部２５Ａの回転によって、保持部２５Ｃに対して軸部２５Ａが後退し、軸部２５Ａがスタンド１８から離れる方向に押し出される。これによって、スタンド１８の固定状態が解除され、スタンド１８を下方向に引き抜くことで、スタンド１８をフレーム１２から取り外すことができる。
【００６０】
第５の実施形態によれば、電子機器は、フレーム１２と、フレーム１２に取り付けられた表示パネル１３と、第１の貫通孔２８と、第１の貫通孔２８の周囲を規定する第１の縁部３２と、を有するとともにフレーム１２に固定されたケース本体７１と、第２の貫通孔３４と、第２の貫通孔３４の周囲を規定する第２の縁部３５と、を有するとともにケース本体７１に取り付けられた保持部材７２と、フレーム１２を起立状態で支持するスタンド１８と、第１の貫通孔２８に通されるとともにスタンド１８をフレーム１２に固定する軸部２５Ａと、軸部２５Ａから軸部２５Ａの半径方向に突出するとともに、第１の縁部３２と第２の縁部３５との間で挟まれて保持される保持部２５Ｃと、を有するねじ２５と、を具備し、第１の縁部３２および第２の縁部３５は、保持部２５Ｃの直径よりも小さい直径をそれぞれ有する。
【００６１】
この構成によれば、第１の縁部３２と第２の縁部３５との間に保持部２５Ｃが挟まれるようになっているため、ケース本体７１および保持部材７２の間からねじ２５が脱落してしまうことを防止することができる。これによって、例えば、ユーザがスタンド１８を取り外して壁掛け状態で長期間使用する際に、誤ってねじ２５を紛失してしまうことを防止できる。
【００６２】
このとき、軸部２５Ａは、保持部２５Ｃに対して軸部２５Ａの延びている方向に沿って進退できる。この構成によれば、ねじ２５の軸部２５Ａ自体をスタンド１８に対して後退させることができる。これによって、ねじ２５の差し込み方向と交差する方向に抜き差しされるスタンド１８などを固定する構造にもねじ２５を第１の縁部３２および第２の縁部３５で挟み込む構造を採用することができる。
【００６３】
本発明の電子機器は、薄型テレビに限らず、例えばパソコン用のディスプレイとしても実施可能である。また、本発明の電子機器は、携帯電話等のその他の機器にも適用することができる。その他、表示装置は、発明の要旨を逸脱しない範囲で種々変形して実施することができる。
【符号の説明】
【００６４】
１１…表示装置、１２…フレーム、１３…表示パネル、１４…開口部、１５…第１のケース、１６…第２のケース、１７…保護板、１８…スタンド、２３Ｂ…ピン、２５…ねじ、２５Ａ…軸部、２５Ｃ…保持部、２８…第１の貫通孔、３１…第１のボス部、３２…第１の縁部、３４…第２の貫通孔、３５…第２の縁部、４１…化粧板、５１…遠隔操作装置、５３…電池収容部、５４…蓋体、６１…ハードディスクドライブ装置、６２…モジュール、６３…スロット、７１…ケース本体、７２…保持部材
【図１】
2011023826.tif 000003
【図２】
2011023826.tif 000004
【図３】
2011023826.tif 000005
【図４】
2011023826.tif 000006
【図５】
2011023826.tif 000007
【図６】
2011023826.tif 000008
【図７】
2011023826.tif 000009
【図８】
2011023826.tif 000010
【図９】
2011023826.tif 000011
【図１０】
2011023826.tif 000012
【図１１】
2011023826.tif 000013
【図１２】
2011023826.tif 000014
【図１３】
2011023826.tif 000015